(57)【要約】【課題】遊技者が座席に着いたままでも前扉を開けてエラー解除などの作業ができ、壁際にある遊技機であっても作業がしやすく、遊技者の前で扉を開けても内部を人目に晒すことがない遊技機を提供すること。【解決手段】前扉３を、筐体ユニット１の正面上側に上下方向に回動可能に取り付けられた上扉３０と、前記上扉３０下部に、背面方向に回動可能に取り付けられた下扉４０とから形成し、前記上扉３０を上方に回動させ、上扉３０裏面と前記下扉４０裏面とを向かい合わせる方向に折り畳んで開閉する。【選択図】　　図２
2004081470.tif 000002
【特許請求の範囲】
【請求項１】
正面側に開口する箱形の筐体ユニットと、
筐体ユニットの開口部を開閉自在に塞ぐ前扉と、
複数の図柄を表示可能な図柄表示手段と
前記図柄表示手段の表示を制御するための制御装置とを少なくとも有する遊技機であって、
前記前扉は、
前記筐体ユニットの正面上側に上下方向に回動可能に取り付けられた上扉と、
前記上扉下部に、背面方向に回動可能に取り付けられた下扉とから成り、
前記上扉を上方に回動させ、上扉裏面と前記下扉裏面とを向かい合わせる方向に折り畳んで開閉するように形成されていることを特徴とする遊技機。
【請求項２】
メダルの投入により遊技を行う遊技機であって、
遊技メダルを貯留するためのメダル貯留装置と、
遊技メダルを払い出すための払い出し装置と、
投入されたメダルを選別認識し、前記メダル貯留装置にメダルを送出可能なメダルセレクターとを備え、
前記メダルセレクターは、前記筐体ユニット内に設けられていることを特徴とする請求項１記載の遊技機。
【請求項３】
払い出されたメダルを受けるためのメダル受け部を備え、
このメダル受け部は筐体ユニット下部に設けられていることを特徴とする請求項２記載の遊技機。
【請求項４】
前記メダル受け部は、前記筐体ユニットの側板に左右方向に開閉自在に取り付けられていることを特徴とする請求項３記載の遊技機。
【請求項５】
前記前扉の開扉状態を維持可能な支持手段を設けたことを特徴とする請求項１乃至４のいずれか１項に記載の遊技機。
【発明の詳細な説明】
【０００１】
【発明の属する技術分野】
この発明は、箱形で前扉を有する遊技機、さらに詳しくは、前扉を上下に開閉可能な遊技機に関するものである。
【０００２】
【従来の技術】
従来、スロットマシンなどの、筐体に前扉を設けてある遊技機においては、筐体の側板にヒンジ等が設けられ、前扉を左右に開くように形成されていた。
【０００３】
【発明が解決しようとする課題】
しかし、上記した従来の遊技機においては、例えばスロットマシンを例にすると、メダル詰まりなどのエラーを解除する場合や、ホッパータンク内にメダルが無くなってメダルを補給する場合など、前扉を開ける必要が生じた場合、遊技者に座席から離れてもらわないと扉を十分に開けることができない。このため、遊技者を煩わせることとなっていたばかりでなく、左右開きの構造では、メダル補給などの作業をするとき扉を大きく開かなければ作業がしにくく、遊技機内部を人目に晒すこととなり、セキュリティー上も好ましくない。さらに、扉を開けた際、隣接する遊技機の筐体表面に突出している構造体や部品に衝突して破損させてしまうおそれもあり、また、壁際におかれた遊技機では、扉が壁に邪魔されて十分に開けず、非常に作業がしづらい。
【０００４】
そこで、各請求項にそれぞれ記載された各発明は、上記した従来の技術の有する問題点に鑑みてなされたものであり、その目的とするところは次の点にある。
（請求項１）
請求項１記載の発明は、遊技者が座席に着いたままでも前扉を開けてエラー解除などの作業ができ、壁際にある遊技機であっても作業がしやすく、遊技者の前で扉を開けても内部を人目に晒すことがない遊技機を提供することを目的とする。
【０００５】
（請求項２）
請求項２記載の発明は、上記した請求項１記載の発明の目的に加え、次の点を目的とする。
すなわち、請求項２記載の発明は、メダルを投入して遊技を行う遊技機において、前扉を開けても投入したメダルがこぼれないように形成された遊技機を提供することを目的とする。
【０００６】
（請求項３）
請求項３記載の発明は、上記した請求項２記載の発明の目的に加え、次の点を目的とする。
すなわち、請求項３記載の発明は、メダルが払い出される遊技機において、前扉を開けても払い出されたメダルがこぼれないように形成された遊技機を提供することを目的とする。
【０００７】
（請求項４）
請求項４記載の発明は、上記した請求項３記載の発明の目的に加え、次の点を目的とする。
すなわち、請求項４記載の発明は、遊技機内部に設置された装置が取り出しやすい遊技機を提供することを目的とする。
【０００８】
（請求項５）
請求項５記載の発明は、上記した請求項１乃至４のいずれか１項に記載の発明の目的に加え、次の点を目的とする。
すなわち、請求項５記載の発明は、開扉時の作業が容易に行えるとともに、安全性に優れた遊技機を提供することを目的とする。
【０００９】
【課題を解決するための手段】
各請求項にそれぞれ記載された各発明は、上記した各目的を達成するためになされたものであり、各発明の特徴点を図面に示した発明の実施の形態を用いて、以下に説明する。
なお、かっこ内の符号及び図面番号は、発明の実施の形態において用いた符号及び番号を示し、本発明の技術的範囲を限定するものではない。
【００１０】
（請求項１）
（特徴点）
請求項１記載の発明は、次の点を特徴とする。
すなわち、請求項１記載の発明は、正面側に開口する箱形の筐体ユニット（１）と、筐体ユニット（１）の開口部（１１）を開閉自在に塞ぐ前扉（３）と、複数の図柄を表示可能な図柄表示手段と、前記図柄表示手段の表示を制御するための制御装置とを少なくとも有する遊技機であって、前記前扉（３）は、前記筐体ユニット（１）の正面上側に上下方向に回動可能に取り付けられた上扉（３０）と、前記上扉（３０）下部に、背面方向に回動可能に取り付けられた下扉（４０）とから成り、前記上扉（３０）を上方に回動させ、上扉（３０）裏面と前記下扉（４０）裏面とを向かい合わせる方向に折り畳んで開閉するように形成されていることを特徴とする。
【００１１】
本発明は、複数の図柄を表示可能な図柄表示手段を有する遊技機、例えばスロットマシンなどに適している。
ここで、「図柄表示手段」とは、複数の図柄を表示可能な手段であって、図柄は変動表示されても停止表示されてもかまわない。具体的には、例えばモータにより回転する回転リール（２０）や、液晶画面やＣＲＴ、ドットマトリックスなどの画像表示装置とすることができる。
【００１２】
また、「制御装置」は、前記図柄表示手段の表示を制御するためのものであり、例えば回転リール（２０）のモータの駆動を制御する手段や、所定の画像表示装置をを作動させる手段である。また、この制御装置は、図柄表示手段の表示以外のものを制御可能であってもかまわない。
前記筐体ユニット（１）は、正面側に開口する箱体であって、底板（１５）、側板（１６）、天板（１７）、裏板を有している。開口部（１１）を上下に仕切る中板（１２）を有していてもよい。
【００１３】
前記前扉（３）は、筐体ユニット（１）の開口部（１１）を開塞自在に取り付けられており、扉を閉めると遊技機の正面構造となるように形成されているものである。すなわち、図柄表示手段の表示を見ることができる図柄表示窓（３１）や、遊技機を操作するための操作部（４１）等を設けることができるものである。さらに、この前扉（３）は、上扉（３０）及び下扉（４０）に二分割されている。
【００１４】
前記上扉（３０）は、筐体ユニット（１）の正面上側に上下方向に回動可能に取り付けられるものである。ここで、「筐体ユニット（１）の正面上側」とは、例えば天板（１７）の正面側や、側板（１６）の正面側上端部などを含む。また、「上下方向に回動可能」とは、上扉（３０）の下部を筐体ユニット（１）の正面上側を支点として手前側に移動可能なことである。そして上扉（３０）は、丁番などの取り付け部材（取り付け金具（９））を介して、筐体ユニット（１）に取り付けられる。
【００１５】
前記下扉（４０）は、前記上扉（３０）の下部に、背面方向に回動可能に取り付けられるものである。すなわち、下扉（４０）の上部が、上扉（３０）の下部に取り付けられているものである。ここで、「背面方向に回動可能」とは、下扉（４０）の下部を上扉（３０）の支点として奥方向に移動可能なことである。そして下扉（４０）は、丁番などの取り付け部材（ヒンジ部（６））を介して、下扉（４０）に取り付けられる。
【００１６】
（作用）
前扉（３）を開く際には、上扉（３０）を上方に持ち上げ、筐体ユニット（１）との取り付け部分を支点として回動させる。上扉（３０）の下部に取り付けられた下扉（４０）は、自重で垂直状態のまま筐体ユニット（１）から離れ、前扉（３）と筐体ユニット（１）との側方に隙間ができる（図９参照）。このとき、遊技者が席を立つことなく、前記隙間からエラー解除等の作業ができる。またこの場合、正面側から見ると、前扉（３）が筐体ユニット（１）の開口部（１１）を隠しているので、遊技機内部が人目に晒されることがない。
【００１７】
上扉（３０）をさらに上方に持ち上げ、上扉（３０）が筐体ユニット（１）の天板（１７）よりも上になる位置まで回動させると（図１０参照）、下扉（４０）は、下扉（４０）の裏面と上扉（３０）の裏面とが向かい合うように折れ曲がる。遊技機が壁際に配置されていても、壁が開扉の邪魔になることはない。このとき、筐体ユニット（１）の開口部（１１）は正面側に開放された状態となり、例えば遊技機内部の部品を交換等する作業も楽に行える。
【００１８】
前扉（３）を閉める際には、上扉（３０）を下方に押し下げ、筐体ユニット（１）との取り付け部分を支点として回動させる。上扉（３０）の下部に取り付けられた下扉（４０）は、自重で垂直状態のまま筐体ユニット（１）に近づき、開口部（１１）を塞ぐ（図７参照）。
（請求項２）
（特徴点）
請求項２記載の発明は、上記した請求項１記載の発明の特徴点に加え、次の点を特徴とする。
【００１９】
すなわち、請求項２記載の発明は、メダルの投入により遊技を行う遊技機であって、遊技メダルを貯留するためのメダル貯留装置と、遊技メダルを払い出すための払い出し装置と、投入されたメダルを選別認識し、前記メダル貯留装置にメダルを送出可能なメダルセレクター（７０）とを備え、前記メダルセレクター（７０）は、前記筐体ユニット（１）内に設けられていることを特徴とする。
【００２０】
本発明は、メダルの投入により遊技を行い、所定の場合にはメダルを払い出す遊技機に係る。
ここで、「メダル貯留装置」は、遊技メダルを溜めておくことのできるメダルタンク（５１）とすることができ、「払い出し装置」は、例えばディスク回転式のホッパーとすることができる。
【００２１】
前記メダルセレクター（７０）は、適正なメダルをメダル貯留装置に送出し、不適正なメダルをメダル貯留装置に送らないようにメダルの流路を変更可能に形成されているものである。従来、例えばスロットマシンにおいては、このメダルセレクター（７０）は前扉（３）の裏面に設けられていた。
メダルセレクター（７０）は、筐体ユニット（１）内に設けられるものであるが、筐体ユニット（１）内部であれば、例えば中板（１２）や電源ユニット（４）などの、筐体ユニット（１）内の他の構成部品に付設されていてもかまわない。
【００２２】
本発明によれば、投入されたメダルがメダルセレクター（７０）内部に残留していても、前扉（３）の開閉とは無関係であるので、前扉（３）の開閉時にメダルがこぼれ落ちることはない。また、メダル詰まりなどのエラー解除作業をする場合も、前扉（３）を広く開放する必要はなく、下扉（４０）と筐体ユニット（１）との隙間から操作可能である。
【００２３】
（請求項３）
（特徴点）
請求項３記載の発明は、上記した請求項２記載の発明の特徴点に加え、次の点を特徴とする。
すなわち、請求項３記載の発明は、払い出されたメダルを受けるためのメダル受け部（６０）を備え、このメダル受け部（６０）は筐体ユニット（１）下部に設けられていることを特徴とする。
【００２４】
従来の遊技機、例えばスロットマシンにおいては、払い出しメダルを受けて溜めておくためのメダル受け部（６０）は、前扉（３）の下部に設けられていた。
本発明によれば、メダル受け部（６０）にメダルが溜まっていても、前扉（３）の開閉とは無関係であるので、前扉（３）の開閉時にメダルがこぼれ落ちることはない。
【００２５】
（請求項４）
（特徴点）
請求項４記載の発明は、上記した請求項３記載の発明の特徴点に加え、次の点を特徴とする。
すなわち、請求項４記載の発明は、前記メダル受け部（６０）は、前記筐体ユニット（１）の側板（１６）に左右方向に開閉自在に取り付けられていることを特徴とする。
【００２６】
本発明においては、前記メダル受け部（６０）は、ヒンジ部（１５０）などにより筐体ユニット（１）の側板（１６）に取り付けられる。本発明によれば、例えば底板（１５）に載置されているホッパーユニット（５）などを取り出す際に、メダル受け部（６０）を開いておけば邪魔にならず取り出しやすい。
（請求項５）
（特徴点）
請求項５記載の発明は、上記した請求項１乃至４のいずれか１項に記載の発明の特徴点に加え、次の点を特徴とする。
【００２７】
すなわち、請求項５記載の発明は、前記前扉（３）の開扉状態を維持可能な支持手段を設けたことを特徴とする。
ここで、「支持手段」は、前扉（３）の開扉状態を維持可能、すなわち開閉時に上扉（３０）が自重で閉じてしまうのを阻止可能に形成されていればよく、その構成、取り付け場所は問わない。例えば、筐体ユニット（１）の側板（１６）又は中板（１２）に揺動可能に軸支され上扉（３０）を下方から支える支持部材（１０）とすることができる。また、支持手段は、前扉（３）を支持するのみならず、前扉（３）の開放を補助し、あるいは前扉（３）の閉鎖時に緩衝作用を施すものとして形成されていてもよい。例えば、上扉（３０）と天板（１７）の間に設けられ上扉（３０）を開く方向に付勢するバネ部材としてもよい。
【００２８】
（作用）
本発明によれば、前扉（３）を途中まで開いた状態、全開した状態、など所定の位置で前扉（３）を停止させることができ、扉を開けての作業がより容易に行えると共に、閉扉時に扉が一気に閉まることを防止でき、安全性も確保できる。
【００２９】
【発明の実施の形態】
本発明の実施の形態を図面に基づき説明する。
（図面の説明）
図１乃至図１２は、本発明の実施の形態を示すものである。
図１はスロットマシンの正面斜視図、図２はスロットマシンの開扉状態を示す斜視図、図３は前扉を取り外した状態を示す斜視図、図４はメダル投入ユニットを示す斜視図、図５及び図６は取り付け金具を示す図、図７乃至図１１は前扉の作動状態を示す図、図１２は本発明の他の実施の形態を示す図である。
【００３０】
本実施の形態におけるスロットマシンは、図１に示すように、大きく分けて、正面側に開口部１１を有する筐体ユニット１、筐体ユニット１の開口部１１を開閉可能に塞ぐ前扉３とから構成されており、この前扉３は、上扉３０及び下扉４０とから構成されている。
（筐体ユニット１）
筐体ユニット１は、図３に示すように、底板１５及び側板１６及び天板１７及び裏板からなる正面側に開口する箱体であり、高さ方向略中央部には、二つの側板１６の間に水平方向に中板１２が設けられている。また、前記天板１７の下面正面側端部には、上扉３０を開閉自在に支持する取り付け金具９が、横方向に並んで二つ設けられている。
【００３１】
前記中板１２の上面が形成する開口上部１３には、リールユニット２が収納されているとともに、前扉３の開閉時に上扉３０を支えるための支持部材１０が取り付けられている。また、前記中板１２の下面が形成する開口下部１４には、電源ユニット４及びホッパーユニット５及びメダル投入ユニット８が設けられている。
前記電源ユニット４は、中板１２の下面に取り付けられ、特に図示しないが電源装置や設定変更装置が内蔵されており、正面側にはスロットマシンＳの主電源を入れるための電源スイッチや遊技機の設定を変更するためのスイッチ等よりなる店操作部１００を有している。
【００３２】
また、前記ホッパーユニット５は、メダルを貯留すると共に払い出すためのものであり、図３に示すように、筐体ユニット１の底板１５に裁置され、開口下部１４内に収納されるものである。具体的には、ホッパーユニット５は、メダルを貯留するためのメダルタンク５０と、このメダルタンク５０の底部に設けられ、メダルを送り出すためのディスク５１と、ディスク５１から送り出されたメダルを下扉４０のメダル通路４５に放出するためのメダル放出口５２を有している。前記ディスク５１は、駆動モータに軸着され、複数のメダル受け穴を有する円盤状の回転板であり、制御装置からの信号により駆動モータが駆動するとディスク５１が回転し、メダル受け穴に嵌入したメダルを一枚ずつメダル放出口５２へと送り出すように形成されているものである。また、メダル放出口５２の近傍には払い出しセンサが設けられていて、実際に払い出したメダル数をカウントし、所定枚数のメダルが払い出されたらディスク５１の回転を停止するようになっている。なお、ディスク５１から送り出されたメダルは、メダル通路４５の開口４７を通じて、メダル排出口６２から払い出される。
【００３３】
さらに、筐体ユニット１の正面下部には、メダル受け部６０が形成されている。メダル受け部６０は、メダル排出口６２から払い出されたメダルを貯めておくためのメダル皿６１や灰皿などが設けてあり、このメダル受け部６０の上面には、前扉３を閉めた際、前扉３をロックするためのロック機構７が設けられている。
（リールユニット２）
リールユニット２は、種々の部品を設置あるいは固定するための支持体としての枠体２１と、図柄表示手段としての回転リール２０及び基板ユニット２２とから形成されている。
【００３４】
前記回転リール２０は、周囲に複数の図柄が表示されており、前記枠体２１に固定された駆動モータに軸止されている。
また、前記基板ユニット２２は、前記回転リール２０の上方に載置された収納ケースであり、遊技及びスロットマシンＳの作動を制御するための主基板と、各種演出を行うための副基板とを有している。前記主基板は、スロットマシンＳの制御装置として機能するものである。なお、主基板と副基板とを別個に設けてもよい。
【００３５】
ここで、基板ユニット２２には、前扉３の電子部品、例えばランプや液晶表示部などと接続されるハーネス１２０が取り付けられており、このハーネス１２０は筐体ユニット１の天板１７から上扉３０、下扉４０へと連続している（図９参照）。
（上扉３０）
上扉３０は、筐体ユニット１の開口上部１３を塞ぐための板状の扉であり、筐体ユニット１の天板１７の正面側下面に、取り付け金具９を介して上下方向に回動自在に取り付けられるものである。
【００３６】
上扉３０は、図１に示すように、略中央部に前記回転リール２０の図柄を正面側から見ることができる図柄表示窓３１を有し、周囲に飾り部３２を設けてある。そして、種々の表示を行うための表示装置３３が設けられている。ここで、前記飾り部３２は、ランプ等により形成しても良く、入賞の報知その他の演出時にランプが点滅するようにしてもよい。また、前記表示装置３３は、７セグメントＬＥＤ等により数字を表示するものや、画像を表示するための液晶画面あるいはＣＲＴなどにより形成されている。
【００３７】
さらに、図３に示すように、上扉３０の裏面上部には、取り付け金具９を取り付けるための取り付け板３５が設けられており、この取り付け板３５に前記取り付け金具９の一方の固定部（第二固定部９２）を固定して、上扉３０が筐体ユニット１の開口上部１３を開塞可能となるものである。
また、上扉３０の内側面部には、支持部材１０の一端を軸支するための上扉軸支部１３１が設けられている。
【００３８】
そして、上扉３０の裏面下部には、下扉４０の裏面上部とつなぐためのヒンジ部６が設けられている。ここで、ヒンジ部６は、丁番などにより構成され、このヒンジ部６を支点として、上扉３０の裏面と下扉４０の裏面とが、相対向する方向（図２参照）にのみ折れ曲がるように形成されているものである。
（下扉４０）
下扉４０は、筐体ユニット１の開口下部１４を塞ぐための、上扉３０よりも幅厚の扉であり、前記上扉３０の部に、前記ヒンジ部６を介して回動自在に取り付けられるものである。
【００３９】
下扉４０の上部は、図１に示すように、スロットマシンを作動させるための操作部４１となっており、下扉４０の上面は、閉扉時においては、上扉３０よりも前側に突出するようになっている。また、下部には遊技内容その他の表示をするための下パネル４２が嵌め込まれている。
前記操作部４１としては、下扉４０の上面右端にはメダル投入口４３が形成され、上面左側にはベットスイッチ、精算スイッチ、正面側にはスタートスイッチ及びストップスイッチ及び鍵穴４４が設けられている。なお、ベットスイッチとは、貯留メダルをメダル投入に代えるためのものであり、精算スイッチは貯留メダルをキャンセルするためのものである。スタートスイッチ及びストップスイッチは、回転リール２０の回転を開始及び停止させるためのものである。また、鍵穴４４は、前扉３を解錠するためのものであり、この穴に所定の鍵を差し込んで回すと、下扉４０のロックが解除されるものである。
【００４０】
さらに、図３に示すように、下扉４０の裏面側には、前記メダル投入口４３から投入されたメダル又はホッパーユニット５から払い出されたメダルを誘導して、後述するメダル投入ユニット８又はメダル排出口６２へと送出するためのメダル通路４５が設けられている。ここで、メダル通路４５は、ホッパーユニット５のメダル放出口５２から放出されたメダルをメダル排出口６２へと送出するための開口４７を有すると共に、メダル投入ユニット８を収納可能な空間部４６が形成されている。
【００４１】
また、下扉４０の裏面には、前記メダル受け部６０のロック機構７と係合し、前扉３をロックするためのロック機構７が設けられている。
（メダル投入ユニット８）
メダル投入ユニット８は、メダル投入口４３から投入されたメダルの真偽を判定すると共に、前記ホッパーユニット５のメダルタンク５０に送出するためのものである。具体的には、メダル投入ユニット８は、図３及び図４に示すように、中板１２の下面に取り付けられたケースの内部に、メダルセレクター７０とメダル送り出し装置８０を備えている。
【００４２】
また、ケースの上面には投入開口８４が、投入開口８４の下方には排出開口８５が、それぞれ設けられていて、メダル投入ユニット８は、前扉３の閉扉時において、前記投入開口８４及び排出開口８５が、下扉４０のメダル通路４５の空間部４６内に位置するように取り付けられるものである。
メダル送り出し装置８０は、図４に示すように、前記投入開口８４の下方であって、排出開口８５の上方に位置し、一対のローラ８１とこのローラ８１に架けられたベルト８３、及びベルト８３の上面とメダル二枚分の厚みよりも小さい距離を置いて配置される逆転ローラ８２を有している。そして、特に図示しないが、モータによりローラ８１回転させることによりベルト８３をメダルセレクター７０の方向に回転させ、同時に逆転ローラ８２の下面がベルト８３の上面と逆方向に回転するように逆転ローラ８２を回転させ、ベルト８３の上に投入されたメダルを一枚ずつ分離して、メダルセレクター７０に送り出すものである。
【００４３】
メダル投入口４３から投入されたメダルは、下扉４０のメダル通路４５を通って前記投入開口８４を通過し、ベルト８３の上面に落下する。このメダルを、特に図示しないが投入開口８４の近傍に設けられたセンサが検知し、その検知信号によりモータが駆動するようになっている。モータの駆動によりローラ８１が回転し、ベルト８３が回転してメダルをメダルセレクター７０の方向に送り出す。ベルト８３上にメダルが重なっていても、上に乗っているメダルは前記逆転ローラ８２によりベルト８３の進行方向と逆方向にはねられる。また、ベルト８３と逆転ローラ８２との間にはメダル一枚が通過できるスペースしかないので、メダルは一枚ずつメダルセレクター７０に送られるものである。
【００４４】
メダルセレクター７０は、前記メダル送り出し装置８０から送り出されたメダルの選別、検知をするためのものである。具体的には、メダルセレクター７０は、メダルの流路を変更可能な流路変更手段とメダルセンサを有するメダル選別装置を備えており、適正なメダルをホッパーユニット５に誘導しメダルセンサにより投入メダルを検知すると共に、不適正なメダルをメダル排出口６２へと誘導する。適正なメダルはホッパー出口７３から排出されてメダルタンク５０に移送され、不適正なメダルは、キャンセル出口７２から排出されて、排出開口８５からメダル排出口６２へと排出される。
【００４５】
（ロック機構７）
ロック機構７は、下扉４０の鍵穴４４と連結されたロッドと、メダル受け部６０の上面に設けられた縦穴とから構成されている。
施錠時においては、前記ロッドが前記縦穴に挿入されている。そして、鍵穴４４に所定の鍵を差し込んで回すと、ロッドが上方向に移動し、ロッドと縦穴との係合が外れ、ロックが解除されるようになっている。
【００４６】
なお、ロック機構７としてはこのような構成のものに限られず、下扉４０とメダル受け部６０がロックされることにより前扉３が手前側に開かなくなるものであれば、いかなる構成のものでもよい。例えば、下扉４０にフックを、メダル受け部６０の上面に係止部を設けてもよい。また、ロック機構７は、下扉４０と筐体ユニット１の側板１６とに設けてもよい。
【００４７】
（取り付け金具９）
取り付け金具９は、上扉３０と筐体ユニット１の天板１７に固定され、上扉３０を天板１７に上下方向に回動可能に取り付けるためのものであり、具体的には、図５に示すような構成を有している。すなわち、両端部に二つの固定部（第一固定部９１及び第二固定部９２）を有し、各固定部に回動自在に軸止された複数の可動片９３、９４の相互リンク作用により、固定部が最大２００度程度まで開くように形成されているものである。
【００４８】
（支持部材１０）
支持部材１０は、前扉３の開閉時に上扉３０を支えるためのものであり、図８に示すように、伸縮自在に形成された伸縮筒２００からなる。すなわち、直径の異なる三つの支持筒２０１〜２０３を有し、大径の第一支持筒２０１の内部に中径の第二支持筒２０２が収納され、さらに第二支持筒２０２の内部に小径の第三支持筒２０３が収納されている。そして前記第一支持筒２０１の後端部を中板１２又は側板１６に設けられた筐体軸支部１３０に回動自在に軸支し、前記第三支持筒２０３の先端部を上扉３０に設けられた上扉軸支部１３１に回動自在に軸支し、上扉３０の開閉と共に前記伸縮筒２００が伸縮して上扉３０を支持するように形成されているものである。
【００４９】
また、各支持筒には、所定の開放角度で上扉３０を固定するための係止部２１０が設けられている。係止部２１０は、例えば外側の筒に設けた孔と、内側の筒に設けた押入可能な凸部とすることができ、内筒を引き出して凸部が孔の位置にくると突出して外筒と内筒を係止させるものとすることができる。
さらに、第一支持筒２０１及び第二支持筒２０２には、特に図示しないが、内装される支持筒を押し上げる方向に付勢するバネが設けられている。このため、前扉３を開くときに上扉３０を上方に回動させる補助をすることができるとともに、閉扉時における緩衝の役割も果たすものとなる。なお、かかる緩衝作用や回動補助作用を有するものとしては、前記バネを用いたものに限られず、例えばエアシリンダーやオイルシリンダーを用いてもよい。
【００５０】
さらに、支持部材１０としては、上記構成のものに限られず、閉扉時に筐体ユニット１内に収納可能であり、かつ開扉時に上扉３０を下方向から支持可能なものであればよい。例えば、特に図示しないが、折り畳み可能に軸止された複数枚のプレートにより形成してもよい。あるいは、上扉３０と天板１７の間に設けられ上扉３０を開く方向に付勢するバネ部材としてもよい。
【００５１】
（前扉３の開閉）
次に、上記構成を有するスロットマシンＳの、前扉３の開閉について、図６乃至図１１に基づき詳細に説明する。
図７は、閉扉状態を示す。このとき、取り付け金具９は、図６（Ａ）に示すようになっている。すなわち、天板１７及び上扉３０の取り付け板３５にそれぞれ固定された第一固定部９１と第二固定部９２は直交する位置にあり、第一固定部９１に固定された可動片９３及び第二固定部９２に固定された可動片９４は折り畳まれた状態となっている。また、このとき、支持部材１０は、図８の実線で示した状態となっている。すなわち、第一支持筒２０１の内部に第二支持筒２０２及び第三支持筒２０３が収納されている状態である。
【００５２】
次に、下扉４０の鍵穴４４に所定の鍵を差し込んで回すと、下扉４０とメダル受け部６０とのロックが解除され、下扉４０が手前側に移動可能となる。そこで、上扉３０と下扉４０の境目、すなわちヒンジの部分を支えて扉を持ち上げると、前扉３はヒンジ部６の部分から折れ曲がり、図９に示すような状態となる。この場合、下扉４０とメダル受け部６０は分離されているので、メダル皿６１にメダルが貯まっていても、扉の開閉によりメダルがこぼれることもない。
【００５３】
そしてこのとき、支持部材１０は、図８の一点鎖線で示した状態となっている。すなわち、第三支持筒２０３が収納された状態の第二支持筒２０２が第一支持筒２０１から引き出されて、係止部２１０がこれを係止し、伸縮筒２００が上扉３０を支持している。また、外側の筒に内側の筒を上方向に付勢するバネが設けてあるので、支持部材１０の伸張力で上扉３０を押し上げることができ、開扉作業が楽である。
【００５４】
また、取り付け金具９は、図８の一点鎖線で示すように、可動片９３及び可動片９４が開いた状態になり、上扉３０は天板１７から少し離れた位置まで回動する。
そして、この状態においては、遊技者が席を立たなくても、下扉４０と筐体ユニット１との間から種々の作業を行うことができる。例えば、メダル詰まり解除の場合には、メダル投入ユニット８が筐体内側に設けてあるので、下扉４０を大きく開く必要もなく、この程度の開き加減で十分である。また、メダルの補給をする場合にも、左右開きの扉ではヒンジ部分に近づくにつれ開口が狭くなることから、扉を大きく開ける必要があるが、本実施の形態では、下扉４０と筐体ユニット１とが平面から見て平行になるように開くので、扉を大きく開かなくても側方からメダルの補給をすることができる。
【００５５】
さらに下扉４０を上方に持ち上げ、前扉３を全開としたのが図１０に示した図である。この状態では筐体ユニット１の開口部１１が開放され、例えばリールユニット２を交換する場合などに、たとえ壁際におかれた筐体であっても、十分な作業空間を得ることができ、作業がしやすいものである。
このとき、支持部材１０は、図１１に示した状態となっている。すなわち、第一支持筒２０１から第二支持筒２０２及び第三支持筒２０３が引き出されて、係止部２１０がこれを係止し、伸縮筒２００が上扉３０を支持している。また、取り付け金具９は図６（Ｂ）に示すように、可動片９３及び可動片９４が伸びた状態になり、上扉３０は天板１７とほぼ２００度の角度まで回動する。可動片９３、９４が手前側に伸びているので、上扉３０の上部の厚みが天板１７と干渉しあうことはない。
【００５６】
次に、前扉３を閉める場合には、ヒンジ部６付近を下方向に押し下げる。このとき、支持部材１０の係止部２１０の係止力よりも大きな力を加えることにより、係止部２１０の係止が外れ、第三支持筒２０３及び第二支持筒２０２が第一支持筒２０１内に収納されて伸縮筒２００が縮むので、上扉３０は取り付け金具９の可動片９３、９４の移動と共に下方向に回動する。また、支持部材１０の筒内部にバネが設けてあるので、支持部材１０が緩衝作用を与えるため、閉扉作業を安全に行うことができる。
【００５７】
ところで、本実施の形態は、メダル受け部６０が筐体ユニット１に固定されているものであったが、図１２に示すように、筐体ユニット１の側板１６に開閉自在に取り付けられているものであってもよい。
すなわち、メダル受け部６０を、ヒンジ部１５０を介して筐体ユニット１の側板１６に開閉自在に取り付けるものである。このように形成することにより、ホッパーユニット５を取り出し易くなる。また、施錠も、メダル受け部６０を閉じた状態で下扉４０をロックすれば同時にメダル受け部６０もロックされるので、新たなロック機構を設ける必要もない。
【００５８】
また、本実施の形態においては、扉の軽量化等の観点から、メダルセレクター７０を中板１２の下面に設ける構造としたが、筐体ユニット１の内部であれば、どの場所に設けてもかまわない。あるいは、従来のスロットマシン同様、前扉３の裏面側にメダルセレクター７０を設けてもよい。このように形成すると、従来の機器、配置に対応させ易いという利点がある。
【００５９】
【発明の効果】
本発明は、以上のように構成されているので、以下に記載されるような効果を奏する。
（請求項１）
請求項１記載の発明によれば、次のような効果を奏する。
【００６０】
すなわち、請求項１記載の発明によれば、遊技者が座席に着いたままでも前扉を開けてエラー解除などの作業ができ、壁際にある遊技機であっても作業がしやすく、遊技者の前で扉を開けても内部を人目に晒すことがない遊技機を提供することができる。
（請求項２）
請求項２記載の発明によれば、上記した請求項１記載の発明の効果に加え、次のような効果を奏する。
【００６１】
すなわち、請求項２記載の発明によれば、メダルを投入して遊技を行う遊技機において、前扉を開けても投入したメダルがこぼれないように形成された遊技機を提供することができる。
（請求項３）
請求項３記載の発明によれば、上記した請求項２記載の発明の効果に加え、次のような効果を奏する。
【００６２】
すなわち、請求項３記載の発明によれば、メダルが払い出される遊技機において、前扉を開けても払い出されたメダルがこぼれないように形成された遊技機を提供することができる。
（請求項４）
請求項４記載の発明によれば、上記した請求項３記載の発明の効果に加え、次のような効果を奏する。
【００６３】
すなわち、請求項４記載の発明によれば、遊技機内部に設置された装置が取り出しやすい遊技機を提供することができる。
（請求項５）
請求項５記載の発明によれば、上記した請求項１乃至４のいずれか１項に記載の発明の効果に加え、次のような効果を奏する。
【００６４】
すなわち、請求項５記載の発明によれば、開扉時の作業が容易に行えるとともに、安全性に優れた遊技機を提供することができる。
【図面の簡単な説明】
【図１】本発明の実施の形態であって、スロットマシンの正面斜視図である。
【図２】本発明の実施の形態であって、スロットマシンの前扉３を開いた斜視図である。
【図３】本発明の実施の形態であって、スロットマシンの前扉３を取り外した斜視図である。
【図４】本発明の実施の形態であって、メダル投入ユニットの概略を示す斜視図である。
【図５】本発明の実施の形態であって、取り付け金具を示す図である。
【図６】本発明の実施の形態であって、取り付け金具の天板及び上扉への取り付けを示す側断面図である。
【図７】本発明の実施の形態であって、スロットマシンの閉扉状態を示す断面図である。
【図８】本発明の実施の形態であって、スロットマシンの開扉状態を示す拡大図である。
【図９】本発明の実施の形態であって、スロットマシンの開扉状態を示す断面図である。
【図１０】本発明の実施の形態であって、前扉の開全状態を示す断面図である。
【図１１】図１０の部分拡大図である。
【図１２】本発明の他の実施の形態であって、スロットマシンの下部を示す斜視図である。
【符号の説明】
Ｓ　スロットマシン
１　筐体ユニット　　　　　　　　　　２　リールユニット
３　前扉　　　　　　　　　　　　　　４　電源ユニット
５　ホッパーユニット　　　　　　　　６　ヒンジ部
７　ロック機構　　　　　　　　　　　８　メダル投入ユニット
９　取り付け金具　　　　　　　　　　１０　支持部材
１１　開口部　　　　　　　　　　　　　１２　中板
１３　開口上部　　　　　　　　　　　　１４　開口下部
１５　底板　　　　　　　　　　　　　　１６　側板
１７　天板
２０　回転リール　　　　　　　　　　　２１　枠体
２２　基板ユニット
３０　上扉　　　　　　　　　　　　　　３１　図柄表示窓
３２　飾り部　　　　　　　　　　　　　３３　表示装置
３５　取り付け板
４０　下扉　　　　　　　　　　　　　　４１　操作部
４２　下パネル　　　　　　　　　　　　４３　メダル投入口
４４　鍵穴　　　　　　　　　　　　　　４５　メダル通路
４６　空間部　　　　　　　　　　　　　４７　開口
５０　メダルタンク　　　　　　　　　　５１　ディスク
５２　メダル放出口
６０　メダル受け部　　　　　　　　　　６１　メダル皿
６２　メダル排出口
７０　メダルセレクター　　　　　　　　７１　メダル選別装置
７２　キャンセル出口　　　　　　　　　７３　ホッパー出口
８０　メダル送り出し装置　　　　　　　８１　ローラ
８２　逆転ローラ　　　　　　　　　　　８３　ベルト
８４　投入開口　　　　　　　　　　　　８５　排出開口
９１　第一固定部　　　　　　　　　　　９２　第二固定部
９３　第一可動片　　　　　　　　　　　９４　第二可動片
１００　店操作部　　　　　　　　　　　　１２０　ハーネス
１３０　筐体軸支部　　　　　　　　　　　１３１　上扉軸支部
１５０　ヒンジ部
２００　伸縮筒　　　　　　　　　　　　　２０１　第一支持筒
２０２　第二支持筒　　　　　　　　　　　２０３　第三支持筒
２１０　係止部
【図１】
2004081470.tif 000003
【図２】
2004081470.tif 000004
【図３】
2004081470.tif 000005
【図４】
2004081470.tif 000006
【図５】
2004081470.tif 000007
【図６】
2004081470.tif 000008
【図７】
2004081470.tif 000009
【図８】
2004081470.tif 000010
【図９】
2004081470.tif 000011
【図１０】
2004081470.tif 000012
【図１１】
2004081470.tif 000013
【図１２】
2004081470.tif 000014